(57)【要約】【課題】建物の開口に装着された状態でも、スライド枠を収容する枠部材内におけるワイヤー部材の着脱作業やその他の各種作業を、無理な姿勢を強いられることなく容易に実施することができる、作業性に優れたスクリーン装置を提供する。【解決手段】少なくとも一方がスライド可能な一対の第１枠部材１０と第２枠部材２０との間にスクリーン３０を拡縮可能に保持させて、第１枠部材内と拡張されたスクリーンの両端縁部との間で出没可能な一対のスライド枠４０ａ，４０ｂを設け、一対の枠部材の平行を維持するワイヤー部材５０を、第１枠部材内において、スライド枠の自由端におけるスクリーン３０の面側に配置された側面上に着脱可能に固定すると共に、第１枠部材における上記側面と同じ側に配置された側壁に、蓋部１３ａによって開閉可能な開口部１３ｂを形成した。  【選択図】        図２（ａ）
2005282263.tif 000002
【特許請求の範囲】
【請求項１】
建物の開口において互いに平行に配置され、少なくとも一方がスライド可能な一対の枠部材と、これら一対の枠部材間に、該枠部材のスライドにより拡張及び収縮可能に保持されたスクリーンと、長尺かつ湾曲可能に形成され、上記スクリーンの収縮に伴って、上記枠部材の軸方向端部に設けられた入出口から湾曲してその内部に該軸に沿って収容され、上記スクリーンの拡張に伴って、上記入出口から該スクリーンにおける上記枠部材の軸と直角を成す両端縁部に沿って直線的に導出される一対のスライド枠と、上記一対の枠部材の平行を維持するために、該スライド枠に固定して架設されたワイヤー部材とを有して成るスクリーン装置であって、
上記スライド枠を収容する枠部材におけるスクリーン装置の開口面側に位置する側壁には、該枠部材の内部に通じる開閉可能な開口部が形成されており、
該枠部材の内部において、上記ワイヤー部材が上記スライド枠の端部における上記側壁側の側面に固定されている、
ことを特徴とするスクリーン装置。
【請求項２】
上記スライド枠を収容する枠部材は、その内部における該スライド枠よりも上記側壁側に、上記ワイヤー部材を折り返すための折返し部を備えており、
上記開口部が、上記側壁における該折返し部の位置と上記ワイヤー部材を固定したスライド枠の端部が往復動する範囲とを含む部分に形成されている、
ことを特徴とする請求項１に記載のスクリーン装置。
【請求項３】
上記スライド枠を収容する枠部材の内部における該スライド枠よりも上記側壁側において、上記ワイヤー部材がループを形成して上記一対のスライド枠の端部同士を連結している、
ことを特徴とする請求項１または請求項２に記載のスクリーン装置。
【請求項４】
上記ワイヤー部材が互いに交差することなく上記ループを形成している、
ことを特徴とする請求項３に記載のスクリーン装置。
【請求項５】
上記ワイヤー部材がネジによって着脱可能に固定されていて、該ワイヤー部材の固定位置を調整することにより、該ワイヤー部材の張力が調節可能となっている、
ことを特徴とする請求項１〜４の何れかに記載のスクリーン装置。
【請求項６】
上記一対の枠部材のうち一方の枠部材が、建物の開口枠に固定されている、
ことを特徴とする請求項１〜５の何れかに記載のスクリーン装置。
【請求項７】
上記スライド枠が、上記ワイヤー部材が固定された端部駒と、拡張された上記スクリーンの端縁部をガイドする長尺で湾曲可能なガイド部とから構成されており、
上記端部駒と上記ガイド部の端部とが上記開口部を通じて着脱可能に連結されている、
ことを特徴とする請求項１〜６の何れかに記載のスクリーン装置。
【請求項８】
上記端部駒とガイド部の端部とが、それらの凹凸嵌合部分に上記側壁側からネジを貫通させることにより連結されている、
ことを特徴とする請求項７に記載のスクリーン装置。
【請求項９】
上記ガイド部が、複数個のガイド駒に一対の可撓性の連結ワイヤーを貫通させて、それらを互いに連結することにより形成されている、
ことを特徴とする請求項７または請求項８に記載のスクリーン装置。
【請求項１０】
上記スライド枠を収容する枠部材の内部には、その軸に沿ってスライドレールが形成されていて、
上記スライド枠の端部駒が、該スライドレールに摺動自在に係合されている、
ことを特徴とする請求項７〜９の何れかに記載のスクリーン装置。
【請求項１１】
上記一対の枠部材のうち一方の枠部材の軸方向両端部に上記入出口がそれぞれ設けられていて、この一方の枠部材の内部において、上記一対のスライド枠の一端部に上記ワイヤー部材がそれぞれ固定されており、
他方の枠部材の軸方向両端部に上記一対のスライド枠の他端部がそれぞれ固定されている、
ことを特徴とする請求項１〜１０の何れかに記載のスクリーン装置。
【請求項１２】
上記スクリーンにおける上記端縁部と直交する一端が、上記一対のスライド枠を収容する一方の枠部材に係止され、他端が、他方の枠部材内に回動可能に支持された該スクリーンを捲回するための巻取り軸に係止されている、
ことを特徴とする請求項１１に記載のスクリーン装置。
【請求項１３】
上記スクリーンには、その上記両端縁部に沿って係合片が設けられており、
上記スライド枠における該スクリーンの端縁部側の面には、上記係合片を係合させるための係合溝が、該スライド枠の軸に沿って開口されている、
ことを特徴とする請求項１２に記載のスクリーン装置。
【請求項１４】
上記スクリーンが、折返しによる多数の襞を備えたプリーツ状に形成されていて、該スクリーンにおける上記端縁部と直交する一端及び他端が、上記一対の枠部材にそれぞれ係止されている、
ことを特徴とする請求項１〜１１の何れかに記載のスクリーン装置。
【請求項１５】
上記スライド枠が、対向する一対の側板とこれら側板を中間位置で連結する連結板とを有しており、
これら一対の側板と連結板とによって、該スライド枠における上記スクリーンの端縁部側の面に、該スクリーンの端縁部をガイドするための断面略コ字状のガイド凹部が、該スライド枠の軸に沿って開口されている、
ことを特徴とする請求項１４に記載のスクリーン装置。
【請求項１６】
上記スライド枠における上記スクリーンの端縁部とは反対側の面には、係合凹部が該スライド枠の軸に沿って開口されていて、該係合凹部を、建物の開口枠上に凸設されたガイドレール、または、上記枠部材の入出口から突設されたガイドプレートに係合させる、
ことを特徴とする請求項１〜１５の何れかに記載のスクリーン装置
【請求項１７】
上記ガイドプレートにおける上記スライド枠側に位置する面が、該ガイドプレートの厚さを先端に向かって薄くする傾斜部を有している、
ことを特徴とする請求項１６に記載のスクリーン装置。
【請求項１８】
下枠のみに上記ガイドレールが凸設された建物の開口に装着するための横引き式のスクリーン装置であって、  
上記枠部材の各入出口近傍に、上記ガイドプレートを着脱可能に取り付けるための取付部がそれぞれ設けられおり、
これら取付部のうち、建物の開口への装着時にその上枠側に配置される取付部に、上記ガイドプレートが取り付けられている、
ことを特徴とする請求項１６または請求項１７に記載のスクリーン装置。
【発明の詳細な説明】
【技術分野】
【０００１】
本発明は、防塵、遮光、断熱、防虫等を目的として、建物の開口に装着するためのスクリーン装置に関するものである。
【背景技術】
【０００２】
建物の開口において、互いに平行を成す一対の枠部材間に防虫ネット等から成るスクリーンを保持させ、これら一対の枠部材のうち少なくとも一方をスライド可能とすることにより、上記スクリーンを拡張及び収縮させることができるように構成したスクリーン装置であって、上記スクリーンの拡張に伴って、上記枠部材内部からスクリーンの両端縁部に沿って導出されると共に、該スクリーンの収縮に伴って、該枠部材内部へと収容される湾曲可能な一対のスライド枠を備えたものが、特許文献１等において既に知られている。
【０００３】
ところで、上記特許文献１等に記載された従来のスクリーン装置においては、上記一対の枠部材の平行を維持するため、上記一対のスライド枠を収容する枠部材内部で、該スライド枠の端部同士が、ループ状のワイヤー部材によって互いに連結されている。そして、上記枠部材におけるスクリーンの取付側とは反対側の端面には、着脱自在な蓋によって開閉される開口部が形成されており、上記一対のスライド枠の端部に固定されたワイヤー部材の調整作業等を、上記開口部を通じて実施することができるようになっている。
【０００４】
ところが、このような従来のスクリーン装置においては、上記開口部が、上記枠部材におけるスクリーンの取付側とは反対側の端面に形成されていることから、特に、建物の開口に対してスクリーン装置を装着した後に、上記開口部を通じて、上記枠部材内部におけるメンテナンス作業やその他の各種作業を実施しようとすると、該枠部材がスライド可能な場合には、該枠部材と、それと平行を成す建物の開口枠との間に形成される狭い空間からの無理な姿勢での作業を強いられることとなり、また、該枠部材が建物の開口枠に固定されている場合には、該枠部材を上記建物の開口枠から一旦取り外す必要性があるため、作業性に劣るという問題点があった。
【０００５】
【特許文献１】特開２００１−７３６５５号公報
【発明の開示】
【発明が解決しようとする課題】
【０００６】
本発明は、このような問題点を解決するために為されたもので、その課題は、建物の開口に装着された状態であっても、スライド枠を収容する枠部材内部におけるメンテナンス作業やその他の各種作業を、無理な姿勢を強いられることなく容易に実施することができる、作業性に優れたスクリーン装置を提供することにある。
【課題を解決するための手段】
【０００７】
上記課題を解決するために、本発明に係るスクリーン装置は、建物の開口において互いに平行に配置され、少なくとも一方がスライド可能な一対の枠部材と、これら一対の枠部材間に、該枠部材のスライドにより拡張及び収縮可能に保持されたスクリーンと、長尺かつ湾曲可能に形成され、上記スクリーンの収縮に伴って、上記枠部材の軸方向端部に設けられた入出口から湾曲してその内部に該軸に沿って収容され、上記スクリーンの拡張に伴って、上記入出口から該スクリーンにおける上記枠部材の軸と直角を成す両端縁部に沿って直線的に導出される一対のスライド枠と、上記一対の枠部材の平行を維持するために、該スライド枠に固定して架設されたワイヤー部材とを有して成るスクリーン装置であって、上記スライド枠を収容する枠部材におけるスクリーン装置の開口面側に位置する側壁には、該枠部材の内部に通じる開閉可能な開口部が形成されており、該枠部材の内部において、上記ワイヤー部材が上記スライド枠の端部における上記側壁側の側面に固定されていることを特徴としている。ここで、上記開口部は、少なくとも上記ワイヤー部材を固定したスライド枠の端部が往復動する範囲に形成されていることが望ましい。
【０００８】
具体的には、上記スライド枠を収容する枠部材は、その内部における該スライド枠よりも上記側壁側に、上記ワイヤー部材を折り返すための折返し部を備えており、上記開口部が、上記側壁における該折返し部の位置と上記ワイヤー部材を固定したスライド枠の端部が往復動する範囲とを含む部分に形成されている。そして、上記ワイヤー部材はネジによって着脱可能に固定されていて、該ワイヤー部材の固定位置を調整することにより、該ワイヤー部材の張力を調節することができるようになっている。ここで、上記スライド枠を収容する枠部材の内部における該スライド枠よりも上記側壁側において、上記ワイヤー部材がループを形成して上記一対のスライド枠の端部同士を連結するようにしても良い。このとき、上記ワイヤー部材が互いに交差することなく上記ループを形成していることが望ましい。さらに、上記一対の枠部材のうち一方の枠部材が、建物の開口枠に固定されていても良い。
【０００９】
また、上記スクリーン装置においては、上記スライド枠が、上記ワイヤー部材が固定された端部駒と、拡張された上記スクリーンの端縁部をガイドする長尺で湾曲可能なガイド部とから構成されており、上記端部駒と上記ガイド部の端部とが上記開口部を通じて着脱可能に連結されている。ここで、上記端部駒とガイド部の端部とは、それらの凹凸嵌合部分に上記側壁側からネジを貫通させることにより連結されている。そして、上記ガイド部は、複数個のガイド駒に一対の可撓性の連結ワイヤーを貫通させて、それらを互いに連結することにより形成されている。さらに、上記スライド枠を収容する枠部材の内部には、その軸に沿ってスライドレールが形成されていて、上記スライド枠の端部駒が、該スライドレールに摺動自在に係合されている。
【００１０】
また、上記スクリーン装置においては、上記一対の枠部材のうち一方の枠部材の軸方向両端部に上記入出口がそれぞれ設けられていて、この一方の枠部材の内部において、上記一対のスライド枠の一端部に上記ワイヤー部材がそれぞれ固定されており、他方の枠部材の軸方向両端部に上記一対のスライド枠の他端部がそれぞれ固定されている。そして、上記枠部材の軸と平行を成し上記端縁部と直交するスクリーンの一端を、上記一対のスライド枠を収容する一方の枠部材に係止させると共に、該スクリーンの他端を、他方の枠部材内に回動可能に支持された該スクリーンを捲回するための巻取り軸に係止させることにより、該スクリーンをこれら一対の枠部材間に保持させることができる。このとき、該スクリーンには、その上記両端縁部に沿って係合片が設けられていて、上記スライド枠における該スクリーンの端縁部側の面には、上記係合片を係合させるための係合溝が、該スライド枠の軸に沿って開口されていることが望ましい。
【００１１】
また、上記スクリーン装置においては、上記スクリーンを、折返しによる多数の襞を備えたプリーツ状に形成し、上記枠部材の軸と平行を成し上記端縁部と直交するスクリーンの一端及び他端を、上記一対の枠部材にそれぞれ係止させることにより、該スクリーンをこれら一対の枠部材間に保持させることも可能である。このとき、上記スライド枠が、対向する一対の側板とこれら側板を中間位置で連結する連結板とを有していて、これら一対の側板と連結板とによって、該スライド枠における上記スクリーンの端縁部側の面に、該スクリーンの端縁部をガイドするための断面略コ字状のガイド凹部が、該スライド枠の軸に沿って開口されていることが望ましい。
【００１２】
また、上記スクリーン装置においては、上記スライド枠における上記スクリーンの端縁部とは反対側の面に、係合凹部が該スライド枠の軸に沿って開口されていて、該係合凹部を、建物の開口枠上に凸設されたガイドレール、または、上記枠部材の入出口から突設されたガイドプレートに係合させるように構成されており、上記ガイドプレートにおける上記スライド枠側に位置する面には、該ガイドプレートの厚さを先端に向かって薄くする傾斜部が設けられている。そして、上記枠部材の各入出口近傍には、上記ガイドプレートを着脱可能に取り付けるための取付部がそれぞれ設けられおり、上記スクリーン装置が横引き式であって、装着する建物の開口の下枠のみに上記ガイドレールが凸設されている場合には、これら取付部のうち、建物の開口への装着時にその上枠側に配置される取付部に、上記ガイドプレートが取り付けられるようになっている。
【発明の効果】
【００１３】
本発明によれば、建物の開口に装着された状態であっても、スライド枠を収容する枠部材内部におけるメンテナンス作業やその他の各種作業を、該枠部材におけるスクリーン装置の開口面側の側壁に形成された開閉可能な開口部を通じて、無理な姿勢を強いられることなく容易に実施することができる、作業性に優れたスクリーン装置を提供することができる。
【発明を実施するための最良の形態】
【００１４】
以下に、図面を参照して本発明に係るスクリーン装置の実施例について詳述する。ただし、以下の実施例においては、本発明に係るスクリーン装置を横引き式の防虫網戸として使用した場合について示すが、該スクリーン装置は、横引き式に限られることなく縦引き式としても使用することが可能であり、また、その用途についても、防虫に限られることなく、遮光、目隠しまたは断熱等を目的とするものであっても良い。
【００１５】
図１（ａ）〜図３（ｃ）は本発明に係るスクリーン装置の第１実施例を示している。当該スクリーン装置は、窓や出入口等、互いに対向する一対の縦枠２，３と上下枠４，５とから成る開口枠によって囲まれた建物の開口１に装着して、該開口１を開閉するためのもので、上記対向する開口枠間において、互いに平行に配置され、かつ少なくとも一方が往復スライド可能に設けられる第１枠部材１０及び第２枠部材２０と、これら一対の枠部材１０，２０間に、上記枠部材の往復スライドにより拡張及び収縮可能に保持された防虫ネットから成るスクリーン３０と、スクリーン３０の拡張時には、各枠部材１０，２０の軸と直角を成す上記スクリーン３０の両端縁部に沿って配置され、該スクリーン３０の収縮時には、上記第１枠部材１０の内部１１へと収容される一対のスライド枠４０ａ，４０ｂ（第１スライド枠４０ａ，第２スライド枠４０ｂ）とを有している。
なお、図１（ａ），（ｂ）は、当該スクリーン装置を横引き式の網戸装置として建物の開口１に装着した例を示しており、この例においては、第１枠部材１０が上記開口１の縦枠２に固定され、第２枠部材２０が該第１枠部材１０と縦枠３との間で往復スライド可能となっている。そこで、以下においては、当該第１実施例の説明を、便宜上、この図１（ａ），（ｂ）の装着例に基づいて行うこととする。
【００１６】
上記第１枠部材１０は長尺かつ中空に形成されていて、その軸方向両端部におけるスクリーン３０側の第４側壁１６には、該枠部材１０の内部１１へと通じる一対の入出口１２ａ，１２ｂ（第１入出口１２ａ，第２入出口１２ｂ）がそれぞれ開設されいる。一方、上記第２枠部材２０も長尺かつ中空に形成されていて、その内部には、スクリーン３０を捲回するための巻取り軸２１が該枠部材２０の軸廻りに回動可能に支持されている。そして、スクリーン３０における各枠部材１０，２０の軸と平行を成す一端（上記両端縁部と直交する一端）が、上記第１枠部材１０の第４側壁１６の外面に設けられた係止部１６ａに係止され、その反対側の他端が、上記巻取り軸２１に係止されている。
なお、上記巻取り軸２１には、図示しないコイルスプリングによる自動巻取り機構が内蔵されていて、上記スクリーン３０が第２枠部材２０のスライドにより繰り出された際に該コイルスプリングに戻りの回転付勢力が蓄積されるようになっており、その回転付勢力が蓄積されたコイルスプリングを駆動源として、上記スクリーン３０を該巻取り軸２１に巻き取ることができるようになっている。
【００１７】
上記スライド枠４０ａ，４０ｂは、長尺かつ湾曲可能に形成されていて、上記スクリーン３０の両端縁部を両面側から支持することによって、スクリーン装置の開閉時すなわち第２枠部材２０のスライド時においては、スクリーン３０の上記両端縁部をガイドし、スクリーン３０が拡張された状態においては、風等によるスクリーン３０の面方向への揺れを抑制する働き等を有している。また、該スライド枠４０ａ，４０ｂは、スクリーン３０の上記両端縁部の方向にのみ凹状に湾曲可能に形成されており、特に上記第２枠部材２０のスライド時に、後述するワイヤー部材５０と協働して、該第２枠部材２０と上記第１枠部材１０との平行状態を維持する働きをも有している。
【００１８】
そして、これら一対のスライド枠４０ａ，４０ｂはそれぞれ、一端が自由端として上記入出口１２ａ，１２ｂを通じて第１枠部材１０の内部１１に配置されていると共に、他端が上記第２枠部材２０の軸方向両端部におけるスクリーン３０側の側壁に固定されていて、該第２枠部材２０の往復スライドにより、上記入出口１２ａ，１２ｂを通じて第１枠部材１０の内部１１と上記スクリーン３の両端縁部との間で出没可能となっている。すなわち、これら一対のスライド枠４０ａ，４０ｂはそれぞれ、スクリーン３０の上記巻取り軸２１への巻き取りに伴う収縮時には、上記入出口１２ａ，１２ｂから湾曲して第１枠部材１０の内部１１に該枠部材１０の軸に沿って収容され、逆に、スクリーン３０の上記巻取り軸２１からの繰り出しに伴う拡張時には、該第１枠部材１０の内部１１から入出口１２ａ，１２ｂを通じて、スクリーン３０の上記両端縁部に沿って直線的に導出されるようになっている。
【００１９】
ところで、上記第１枠部材１０においては、スクリーン３０の面側（スクリーン装置の開口面側）に対向配置された一対の側壁のうち一方の側壁（以下、「第１側壁１３」）に、蓋部１３ａによって開閉可能で該枠部材１０の内部１１へと通じる開口部１３ｂが形成されている。上記蓋部１３ａは開口部１３ｂに対して着脱可能に係止されている。そのため、スクリーン装置を建物の開口１に装着した状態でも、該スクリーン装置における上記第１側壁１３が配置された開口面側から、蓋部１３ａを取り外し、開口部１３ｂを通じて第１枠部材１０の内部１１へと容易にアクセスすることができるようになっている。しかも、スクリーン装置の開口面側には、作業空間を制限する上記開口枠が無いため、第１枠部材１０の内部１１にアクセスして、該内部１１におけるメンテナンス作業やその他の各種作業を実施するにあたって、無理な姿勢を強いられることもない。
また、当該スクリーン装置には、上記一対のスライド枠４０ａ，４０ｂの動作を、第１枠部材１０に対する収容時及び該枠部材１０からの導出時に互いに同期させることにより、上記第２枠部材２０と上記第１枠部材１０との平行状態を維持するワイヤー部材５０が、上記一対のスライド枠４０ａ，４０ｂの自由端にそれぞれ固定されて架設されている。該ワイヤー部材５０は、可撓性を有する組み紐等から成っていて、第１枠部材１０の内部１１で、上記一対のスライド枠４０ａ，４０ｂの各自由端における上記第１側壁１３側の側面上に、固定部材５３により着脱可能に固定され、同時に、その固定位置をスライド枠４０ａ，４０ｂの軸方向に調整することにより、ワイヤー部材５０の張力を調節することができるようになっている。したがって、スクリーン装置を建物の開口１に装着した状態でも、スクリーン装置の上記開口面側から上記開口部１３ｂを通じて、ワイヤー部材５０を一対のスライド枠４０ａ，４０ｂに対して着脱することができると共に、架設されたワイヤー部材５０の張力をも調節することができる。
【００２０】
具体的に説明すると、上記第１枠部材１０は、スクリーン３０の面方向に位置して対向する第１側壁１３，第２側壁１４と、スクリーン３０の開閉方向に位置して対向する第３側壁１５，第４側壁１６とによって中空に形成されており、第３側壁１５が建物の開口枠に対して固定されるようになっている。そして、その上記スクリーン３０側に配置された第４側壁１６の内面の略中央位置には、該枠部材１０の軸に沿って、上記スライド枠４０ａ，４０ｂの自由端を摺動自在に係合させるためのスライドレール１６ｂが設けられている。また、上記第１枠部材１０の内部１１におけるスライド枠４０よりも第１側壁１３側には、上記ワイヤー部材５０を折り返すための一対の折返し部１７ａ，１７ｂ（第１折返し部１７ａ，第２折返し部１７ｂ）が、該枠部材１０の軸方向おける対称位置にそれぞれ配設されており、これら一対の折返し部１７ａ、１７ｂ間に、上記一対のスライド枠４０ａ，４０ｂの自由端が配置されている。そして、上記第２枠部材２０の往復スライドに伴って、該一対のスライド枠４０ａ，４０ｂの各自由端が、これら折返し部１７ａ、１７ｂ間において互いに逆方向に往復動するようになっている。なお、上記一対の折返し部１７ａ，１７ｂには、スクリーン３０の開閉方向に折返し穴１７ｃがそれぞれ貫設されており、該折返し穴１７ｃに上記ワイヤー部材５０が挿通されて逆方向に折り返されている（図３（ｃ）参照）。
【００２１】
さらに、上記一対の折返し部１７ａ，１７ｂは、上記開口部１３ｂの両端部にそれぞれ配設されている。換言すると、上記開口部１３ｂは、第１側壁１３における、上記一対の折返し部１７ａ，１７ｂが配設された位置とスライド枠４０ａ，４０ｂの自由端が往復動する範囲とを含む部分、すなわち、これら折返し部１７ａ、１７ｂ間に開設されている。したがって、該開口部１３ｂを通じて上記ワイヤー部材５０を、上記一対のスライド枠４０ａ，４０ｂの各自由端に対して着脱することができるばかりでなく、これら一対の折返し部１７ａ，１７ｂに対して架け外しすることもできるようになっている。
【００２２】
上記ワイヤー部材５０は、２本のワイヤー片５０ａ，５０ｂ（第１ワイヤー片５０ａ，第２ワイヤー片５０ｂ）から成っていて、これらワイヤー片５１ａ、５０ｂをそれぞれ上記一対の折返し部１７ａ，１７ｂで折り返すと共に、それらの両端をそれぞれ上記一対のスライド枠４０ａ，４０ｂの各自由端に固定することにより、１つの閉じたループが形成されている。すなわち、上記第１ワイヤー片５０ａは、その一端を第１スライド枠４０ａの自由端における上記第１側壁１３側の側面に固定されて、その側面上を上記第１スライド枠４０ａの軸に沿って第１折返し部１７ａへと導かれ、そして、該第１折返し部１７ａの折返し穴１７ｃに挿通されて逆方向に折り返され、さらに、その他端を第２スライド枠４０ｂの自由端における上記第１側壁１３側の側面に固定されており、その一方で、上記第２ワイヤー片５０ｂは、その一端を第２スライド枠４０ｂの自由端における上記第１側壁１３側の側面に固定されて、その側面上を上記第２スライド枠４０ｂの軸に沿って第２折返し部１７ｂへと導かれ、そして、該第２折返し部１７ｂの折返し穴１７ｃに挿通されて逆方向に折り返され、さらに、その他端を第１スライド枠４０ａの自由端における上記第１側壁１３側の側面に固定されている。そうすることにより、ワイヤー部材５０が、第１枠部材１０の内部１１におけるスライド枠４０ａ，４０ｂよりも第１側壁１３側の空間において、互いに交差することなく、一対のスライド枠４０ａ，４０ｂの自由端同士を互いに連結するループを形成している。なお、上記ワイヤー片５０ａ，５０ｂの両端には、穴付きの端子５２がそれぞれ取り付けられていて、該端子５２の穴に上記固定部材としてのネジ５３を貫通させることにより、該ワイヤー片５０ａ，５０ｂの両端が、上記スライド枠４０ａ，４０ｂの各自由端にそれぞれ固定されている。
【００２３】
上記スライド枠４０ａ，４０ｂは、複数個のガイド駒４２を可撓性の連結ワイヤー４５で連結して成る長尺で湾曲可能なガイド部４１と、該ガイド部４１の一端に連結されて、該スライド枠４０ａ，４０ｂの上記自由端を形成する端部駒４３とから構成されており、これらガイド部４１と端部駒４３とは、連結部材４６により第１側壁１３側から上記開口部１３ｂを通じて着脱可能に連結されている。ここで、上記ガイド駒４２及び上記端部駒４３は樹脂によって一体成型されたものであり、上記連結ワイヤー４５は、金属細線を撚ることにより形成されている。また、ガイド部４１の一端と端部駒４３とは、それらの凹凸嵌合部４４に、上記第１側壁１３側から上記連結部材としてのネジ４６を貫通させることにより連結されていて、第１側壁１３の開口部１３ｂを通じてネジ４６を操作することにより、互いに着脱することができるようになっている。そのため、図３（ａ）〜（ｃ）に示すように、スクリーン装置の上記開口面側から第１枠部材１０の開口部１３ｂを通じて、第２枠部材２０とスクリーン３０とスライド枠４０ａ，４０ｂのガイド部４１とから成るスクリーンユニットを、該第１枠部材１０に対して着脱することが可能となっており、スクリーン３０の交換等のメンテナンス作業を、スクリーン装置全体を建物の開口１から取り外すことなく実施することができるようになっている。
上記ガイド駒４２における上記スクリーン３０の端縁部側に配置される面には、スライド枠４０ａ，４０ｂの軸に沿ってスリット状の係合溝４２ａが開口されていて、その溝幅は、その開口側よりもその奥側で広がっている。一方、スクリーン３０には、上記係合溝４２ａの開口側の幅よりも幅広に形成された係合片３１が、上記両端縁部に沿って取り付けられいる。そして、巻取り軸２１から繰り出されたスクリーン３０の上記係合片３１が、第１枠部材１０から導出されたスライド枠４０ａ，４０ｂの係合溝４２ａに対し、その開口方向には係止されて抜脱不可能に、かつスライド枠４０ａ，４０ｂの軸方向には摺動自在に係合することにより、上記スクリーン３０の端縁部が、その両面側から係合溝４２ａによって支持されるようになっている（図９（ｂ）参照）。
【００２４】
また、上記ガイド駒４２には、上記係合溝４２ａの両側に、該係合溝４２ａに沿って一対の連結穴が貫設されていて、該連結穴に上記連結ワイヤー４５をそれぞれ挿通して複数個のガイド駒４２を互いに連結することにより、上記スライド枠４０ａ，４０ｂのガイド部４１が形成されている。このとき、これら複数個のガイド駒４２は、スライド枠４０ａ，４０ｂがスクリーン３０の両端縁部に沿って直線状に導出された状態において、それらの端面同士が互いに隙間なく当接するように連結されている。そのため、上記スクリーン３０の端縁部側への凸状の湾曲が、隣接するガイド駒４２間における端面同士の当接によって可及的に防止され、その結果、スライド枠４０ａ，４０ｂのガイド部４１が、スクリーン３０の端縁部側にのみ凹状に湾曲可能となっている。
さらに、上記ガイド駒４２における上記スクリーン３０の端縁部とは反対側（建物の開口枠側）に配置される面には、係合凹部４２ｂが該スライド枠４０ａ，４０ｂの軸に沿って開口されていて、該係合凹部４２ｂを、建物の開口枠上にスクリーン３０の開閉方向に沿って凸設されたガイドレール５ａ、または、上記第１枠部材１０の入出口１２ａ，１２ｂから上記スクリーン３０の端縁部に沿って着脱可能に突設された後述するガイドプレート１８（図９（ａ）〜（ｃ）参照）に対して摺動自在に係合させるようになっている。
【００２５】
なお、図１（ａ），（ｂ）においては、建物の開口１の下枠５上に上記ガイドレール５ａが凸設されていて、スクリーン３０の下側の端縁部をガイドする第１スライド枠４０ａの係合凹部４２ｂが、該ガイドレール５ａに摺動自在に係合するようになっている。また、上記開口１の上枠４上には、断面略コ字状のガイド枠４ａが下方に開いて固定されていて、スクリーン装置の上部が該ガイド枠４ａ内に収容されている。
したがって、防虫ネットとしてのスクリーン３０を巻取り軸２１から繰り出して建物の開口１を閉じた状態においては、上記スクリーン３０の下側の端縁部に取り付けられた係合片３１が、上記第１スライド枠４０ａの係合溝４２ａに係合すると共に、該第１スライド枠４０ａの係合凹部４２ｂが、下枠５上のガイドレール５ａに係合して、該スクリーン３０の下側の端縁部と開口１の下枠５との間に隙間が形成されないようになっているため、そこから室内へ蚊や蠅等の虫が侵入するのを防ぐことができる。しかも、上記スクリーン３０を巻取り軸２１に巻き取って建物の開口１を開いた状態においては、第１スライド枠４０ａが、第１枠部材１０内に収容されて開口１の下枠５上に残らないため、開口１を通って室内に出入りする際の障害になることもない。なお、上記ガイドレール５ａは、開口１の下枠５上のみならず、上枠４上にも凸設されていても良い。
【００２６】
一方、上記端部駒４３には、第１枠部材１０の内部１１に設けられた上記スライドレール１６ｂに対して摺動自在に係合させるための一対の足部４３ａが対向配置されていて、スライドレール１６ｂが両側からこれら一対の足部４３ａによって挟持されている。また、該端部駒４３における上記第１側壁１３側の側面には、上記各ワイヤー片５０ａ，５０ｂの両端に取り付けられた端子５２を上記ネジ５３で位置調整不可能かつ着脱可能に固定するための固定用穴４３ｂと、該端子５２をネジ５３で位置調整可能かつ着脱可能に固定するための調整用長穴４３ｃとが、該端部駒４３の軸方向に並べて開設されていて、各ワイヤー片５０a，５０ｂの両端子５２，５２が、各端部駒４３，４３の固定用穴４３ｂ及び調整用長穴４３ｃにそれぞれ固定されている。そのため、上記開口部１３ｂを通じてネジ５３を操作することにより、上記調整用長穴４３ｃに固定された端子５２の固定位置を端部駒４３の軸方向に調整して、該端子５２が取り付けられたワイヤー片５１の張力を調節したり、ワイヤー片５０ａ，５０ｂを各端部駒４３，４３に対して着脱したりすることができるようになっている。
【００２７】
なお、本第１実施例においては、一対のスライド枠４０ａ，４０ｂが収容される第１枠部材１０を建物の開口枠に固定し、スクリーン３０を捲回するための巻取り軸２１が内蔵された第２枠部材２０をスライド可能としたが、逆に、第１枠部材１０をスライド可能とし、第２枠部材２０を建物の開口枠に固定することも可能である。また、特に横引き式として使用する場合には、これら双方の枠部材１０，２０をスライド可能としても良い。
【００２８】
図４は、本発明に係る上記第１実施例の他の形態を示しており、図１（ａ）におけるＤ−Ｄ断面を示している。本形態では、上記第１枠部材１０の内部１１において、スライド枠４０ａ，４０ｂの端部駒４３をそれぞれ摺動自在に係合させるための上記スライドレール１６ｂが、第４側壁１６の内面における上記第２側壁１４側に偏倚させた位置に配置されている。そして、スライド枠４０ａ，４０ｂ及びスクリーン３０も同様に、上記第２側壁１４側に偏倚させた位置に配置されおり、その結果、第１枠部材１０の内部１１において、スライド枠４０ａ，４０ｂよりも第１側壁１３側に、上記第１実施例よりも大きな空間が確保されている。そのため、該第１枠部材１０には、断面略Ｌ字状の蓋部１３ａが、第１側壁１３から第４側壁１６の一部にわたって形成されており、また、第３側壁１５を、その内面における上記スライド枠４０ａ，４０ｂより第１側壁１３側の位置で、ネジ１８等の固定部材により、建物の開口枠（図４では縦枠２）に対して固定することができるようになっている。したがって、該蓋部１３ａを該枠部材１０本体から取り外すことにより、開口部１３ｂが第１側壁１３から第４側壁１６の一部にわたって形成され、その開口部１３ｂを通じて、第１側壁１３側からばかりでなく第４側壁１６側からも、該枠部材１０の内部１１にアクセスして、スライド枠４０ａ，４０ｂに対するワイヤー部材５０の着脱作業や、建物の開口枠に対する第１枠部材１０の着脱作業等を実施することができるようになっている。
【００２９】
図５（ａ）〜図６（ｂ）は、本発明に係るスクリーン装置の第２実施例を示している。ただし、ここでは、上記第１実施例に係るスクリーン装置とは異なる構成部分及びその作用効果について説明することとし、その他の共通する構成部分及びそれによる作用効果については、重複を避けるために同じ符号を付して説明を省略する。また、図５（ａ），（ｂ）は、当該スクリーン装置を横引き式の網戸装置として建物の開口１に装着した例を示しており、この例においては、第１枠部材１０が上記開口１の縦枠２に固定され、第２枠部材２０が該第１枠部材１０と縦枠３との間で往復スライド可能となっている。そこで、以下においては、当該第２実施例の説明を、便宜上、この図５（ａ），（ｂ）の装着例に基づいて行うこととする。
本第２実施例において、スクリーン３０は、一枚の防虫ネットを交互に折り返すことにより多数の襞が形成されたプリーツ状となっており、その上記各枠部材１０，２０の軸と平行を成す一端（スクリーン３０における上記端縁部と直交する一端）が、第１枠部材１０の第４側壁１６に設けられた係止部１６ａに係止され、その反対側の他端が、第２枠部材２０の上記第４側壁１６と対向する側壁に設けられた係止部２２に係止されている。そして、これら枠部材１０，２０にそれぞれ設けられた上記各係止部１６ａ，２２には、第２枠部材２０を第１枠部材方向へとスライドさせて、建物の開口１を開いた際に、それに伴って収縮したプリーツ状のスクリーン３０を収容するための収容部１６ｃ，２３がそれぞれ設けられている。
【００３０】
また、本第２実施例においては、ガイド駒４２が、一対の側板４２ｃと、それらを中間位置で互いに連結する連結板４２ｄとから構成されており、樹脂により一体成型されている。そして、該一対の側板４２ｃには、その上記スクリーン３０側に配置される各端部に沿って、上記連結ワイヤー４５を挿通するための連結穴がそれぞれ貫設されていて、該連結穴に上記連結ワイヤー４５をそれぞれ挿通して複数個のガイド駒４２を互いに連結することにより、上記スライド枠４０のガイド部４１が形成されている。そのため、上記ガイド部４１におけるスクリーン３０側に配置される面には、断面略コ字状のガイド凹部４２ｅが、その軸に沿って開口され、該ガイド部４１におけるスクリーン３０とは反対側（建物の開口枠側）に配置される面には、係合凹部４２ｂが、同じくその軸に沿って開口されている。そして、上記第２枠部材２０のスライドによりスクリーン３０が拡張された際に、上記ガイド凹部４２ｅ内で、スクリーン３０の端縁部が、その両面側から上記一対の側板４２ｃによってガイドされるようになっている。
【００３１】
なお、本第２実施例においても、一対のスライド枠４０ａ，４０ｂが収容される第１枠部材１０をスライド可能として、第２枠部材２０を建物の開口枠に固定することが可能であり、また、特に横引き式として使用する場合には、これら双方の枠部材１０，２０をスライド可能としても良い。さらに、本第２実施例においては、第１枠部材１０に上記一対のスライド枠４０ａ，４０ｂの双方を収容するようにしているが、第２枠部材２０を第１枠部材１０と同様に構成して、一対のスライド枠４０ａ，４０ｂの両端を自由端とすることにより、これらスライド枠４０ａ，４０ｂが、第１枠部材１０及び第２枠部材２０の双方に収容されるようにしても良く、また、一方のスライド枠の一端を第１枠部材１０に固定すると共に、その他端を自由端として、該一方のスライド枠が第２枠部材２０内に収容されるようにする一方で、他方のスライド枠の一端を第２枠部材２０に固定すると共に、その他端を自由端として、該他方のスライド枠が第１枠部材１０内に収容されるようにしても良い。
【００３２】
図７（ａ），（ｂ）は、本発明に係るスクリーン装置の第３実施例を示している。ただし、ここでも、上記各実施例に係るスクリーン装置とは異なる構成部分及びその作用効果について説明することとし、その他の共通する構成部分及びそれによる作用効果については、重複を避けるために同じ符号を付して説明を省略する。
本第３実施例では、図４に示した第１実施例の他の形態と同様に、スライド枠４０ａ，４０ｂとスクリーン３０とが、上記第２側壁１４側に偏倚させた位置に配置されおり、その結果、第１枠部材１０の内部１１において、スライド枠４０ａ，４０ｂよりも第１側壁１３側に大きな空間が確保されている。そのため、該第１枠部材１０には、断面略Ｌ字状の蓋部１３ａが、第１側壁１３から第４側壁１６の一部にわたって形成されている。したがって、該蓋部１３ａを該枠部材１０本体から取り外すことにより、開口部１３ｂが第１側壁１３から第４側壁１６の一部にわたって形成され、その開口部１３ｂを通じて、スライド枠４０ａ，４０ｂに対するワイヤー部材５０ａ，５０ｂの着脱作業等を実施することができるようになっている。
【００３３】
また、本第３実施例では、第１ワイヤー片５０ａが、その一端を第１スライド枠４０ａの自由端（端部駒４３）における上記第１側壁１３側の側面に固定されて、その側面上を上記第１スライド枠４０ａの軸に沿って第１折返し部１７ａへと導かれ、そして、該第１折返し部１７ａで逆方向に折り返されて、該枠部材１０の軸に沿って第２スライド枠４０ｂの自由端（端部駒４３）へと導かれ、さらに、この自由端から該第２スライド枠４０ｂの係合凹部４２ｂへと挿通されて、該係合凹部４２ｂ内を上記第２入出口１２ｂを通じて上記第２枠部材２０へと導かれ、その他端を該第２枠部材２０に固定されている。その一方で、上記第２ワイヤー片５０ｂは、その一端を第２スライド枠４０ｂの自由端（端部駒４３）における上記第１側壁１３側の側面に固定されて、その側面上を上記第２スライド枠４０ｂの軸に沿って第２折返し部１７ｂへと導かれ、そして、該第２折返し部１７ｂで逆方向に折り返されて、該枠部材１０の軸に沿って第１スライド枠４０ａの自由端（端部駒４３）へと導かれ、さらに、この自由端から該第１スライド枠４０ａの係合凹部４２ｂへと挿通されて、該係合凹部４２ｂ内を上記第１入出口１２ａを通じて上記第２枠部材２０へと導かれ、その他端を該第２枠部材２０に固定されている。ここで、上記第１ワイヤー片５０ａ及び第２ワイヤー片５０ｂの両端のうち何れかが、位置調整可能に固定されていると、これらワイヤー片５０ａ，５０ｂの張力を調節することができて好ましい。
さらに、本第３実施例では、上記第１実施例と同様に、中空の第２枠部材２０内にスクリーン３０の巻取り軸２１が回動可能に支持されていて、該枠部材２０における上記第１枠部材１０の第１側壁１３と同じ開口面側の側壁が、蓋部２４によって開閉可能に形成されており、該蓋部２４を開くことによって、該開口面側から第２枠部材２０内のメンテナンス作業等を実施することができるようになっている
【００３４】
図８（ａ），（ｂ）は、本発明に係るスクリーン装置の第４実施例を示している。ただし、ここでも、上記各実施例に係るスクリーン装置とは異なる構成部分及びその作用効果について説明することとし、その他の共通する構成部分及びそれによる作用効果については、重複を避けるために同じ符号を付して説明を省略する。
本第４実施例でも、図７（ａ），（ｂ）に示した上記第３実施例と同様に、第１枠部材１０に、断面略Ｌ字状の蓋部１３ａが、第１側壁１３から第４側壁１６の一部にわたって形成されている。したがって、該蓋部１３ａを該枠部材１０本体から取り外すことにより、開口部１３ｂが第１側壁１３から第４側壁１６の一部にわたって形成され、その開口部１３ｂを通じて、スライド枠４０ａ，４０ｂに対するワイヤー片５０ａ，５０ｂの着脱作業等を実施することができるようになっている。
【００３５】
また、本第４実施例では、第１ワイヤー片５０ａが、その一端を第１スライド枠４０ａの自由端（端部駒４３）における上記第１側壁１３側の側面に固定されて、その側面上を上記第１スライド枠４０ａの軸に沿って第１折返し部１７ａへと導かれ、そして、該第１折返し部１７ａで逆方向に折り返されて、該枠部材１０の軸に沿って第２スライド枠４０ｂの自由端（端部駒４３）へと導かれ、さらに、この自由端から該第２スライド枠４０ｂの係合凹部４２ｂへと挿通されて、該係合凹部４２ｂ内を上記第２入出口１２ｂを通じて上記第２枠部材２０へと導かれ、その他端を該第２枠部材２０に固定されている。その一方で、上記第２ワイヤー片５０ｂは、その一端を第２スライド枠４０ｂの自由端（端部駒４３）における上記第１側壁１３側の側面に固定されて、その側面上を上記第２スライド枠４０ｂの軸に沿って第２折返し部１７ｂへと導かれ、そして、該第２折返し部１７ｂで逆方向に折り返され、さらに、その他端を第１スライド枠４０ａの自由端（端部駒４３）における上記第１側壁１３側の側面に固定されている。
ここで、上記第１ワイヤー片５０ａ及び第２ワイヤー片５０ｂの両端のうち何れかが、位置調整可能に固定されていると、これらワイヤー片５０ａ，５０ｂの張力を調節することができて好ましい。
さらに、本第４実施例でも、上記巻取り軸２１を内蔵する中空の第２枠部材２０が、その上記第１枠部材の蓋部１３ａと同じ開口面側の側壁が蓋部２４によって開閉可能に形成されており、該蓋部２４を開くことにより、該開口面側から第２枠部材２０内のメンテナンス作業等を実施することができるようになっている。
【００３６】
図９（ａ）〜（ｄ）は、本発明に係るスクリーン装置の第５実施例を示しており、本第５実施例においては、上記スライド枠４０ａ，４０ｂの係合凹部４２ｂと係合させるためのガイドプレート１８が、第１枠部材１０の端部に装着されている。ただし、ここでも、上記各実施例に係るスクリーン装置とは異なる構成部分及びその作用効果について説明することとし、その他の共通する構成部分及びそれによる作用効果については、重複を避けるために同じ符号を付して説明を省略する。
ガイドプレート１８は、建物の開口枠上にガイドレール５ａが凸設されていない場合であっても、スライド枠４０ａ，４０ｂの係合凹部４２ｂに摺動自在に係合させて、それらを第１枠部材１０の入出口１２ａ，１２ｂからその内部１１へとスムーズに導いて収容するためのもので、その断面は略矩形に形成されている。上記第１枠部材１０における各入出口１２ａ，１２ｂの近傍すなわち軸方向両端面には、上記ガイドプレート１８を、選択的に取り付けるための取付溝（取付部）１８ａがそれぞれ凹設されている。そして、上記ガイドプレート１８を、これら取付溝１８ａに対して、第１枠部材１０の両端部に開設された入出口１２ａ，１２ｂからスクリーン３０の端縁部に沿って突設させた状態で取り付けることができるようになっている。なお、ガイドプレート１８は、取付溝１８ａに対して、固定部材としてのネジ１８ｂにより着脱可能に取り付けられる。また、ガイドプレート１８は、上記入出口１２ａ，１２ｂからの突出部分における上記スクリーン３０側（スライド枠４０ａ，４０ｂ側）に配置される面に、該ガイドプレート１８の厚さを先端に向かって徐々に薄くする傾斜部１８ｃが形成されている。そうすることにより、スライド枠４０ａ，４０ｂを入出口１２ａ，１２ｂへと、スムーズに導くことができるようになっている。
【００３７】
ここでは、スクリーン装置が横引き式として建物の開口１に装着されていて、ガイドプレート１８が、開口枠の上枠４側に配置される上記第１枠部材１０の取付溝１８ａに取り付けられており、該ガイドプレート１８に対して、第２スライド枠４０ｂの係合凹部４２ｂが摺動自在に係合されている。一方、開口枠の下枠には、ガイドレール５ａが凸設されているため、該下枠５側に配置されるスライド枠１０の取付溝１８ａにはガイドプレート１８が取り付けられておらず、第１スライド枠４０ａの係合凹部４２ｂは、上記ガイドレール５ａに対して、摺動自在に係合されている。
なお、このガイドプレート１８の適用は、必ずしも本第５実施例に係るスクリーン装置に限られるものではなく、建物の対向する開口枠間において、互いに平行に配置され、かつ少なくとも一方が往復スライド可能に設けられる一対の枠部材１０，２０と、これら一対の枠部材間に、上記枠部材の往復スライドにより拡張及び収縮可能に保持されたスクリーン３０と、スクリーンの拡張時には、各枠部材の軸と直角を成す上記スクリーンの両端縁部に沿って配置され、該スクリーンの収縮時には、上記枠部材の軸方向端部に開設された入出口１２ａ，１２ｂから、その内部へと収容される一対のスライド枠４０ａ，４０ｂとを有していて、該スライド枠が、上記建物の開口枠側に配置される面に上記係合凹部４２ｂを有しているスクリーン装置であれば、上記入出口が開設された枠部材端部の端面に上記取付溝（取付部）１８ａを形成することにより、該ガイドプレート１８を必要に応じて適用することが可能である。
そうすることにより、例え開口枠上にガイドレール５ａが凸設されていない場合であっても、上記スライド枠をスムーズに入出口から枠部材の内部へと導いて収容することが可能となる。
【図面の簡単な説明】
【００３８】
【図１（ａ）】本発明の第１実施例に係るスクリーン装置を建物の開口１に装着した状態を示す部分破断正面図である。
【図１（ｂ）】図１（ａ）におけるＡ−Ａ断面図である。
【図２（ａ）】本発明の第１実施例に係るスクリーン装置において、蓋部１３ａを第１枠部材１０から取り外した状態を示す正面図である。
【図２（ｂ）】図２（ａ）におけるＢ−Ｂ断面図である。
【図３（ａ）】本発明の第１実施例に係るスクリーン装置において、蓋部１３ａを第１枠部材１０から取り外すと共に、第１枠部材１０からスライド枠４０ａ，４０ｂのガイド部４１及びスクリーン３０を取り外した状態を示す正面図である。
【図３（ｂ）】図３（ａ）におけるＣ−Ｃ断面図である。
【図３（ｃ）】図３（ａ）における第１枠部材１０の斜視図である。
【図４】上記第１実施例の他の形態を示す、図１（ａ）におけるＤ−Ｄ断面図である。
【図５（ａ）】本発明の第２実施例に係るスクリーン装置を建物の開口１に装着した状態を示す部分破断正面図である。
【図５（ｂ）】図５（ａ）におけるＥ−Ｅ断面図である。
【図６（ａ）】本発明の第２実施例に係るスクリーン装置において、蓋部１３ａを第１枠部材１０から取り外した状態を示す正面図である。
【図６（ｂ）】図６（ａ）におけるＦ−Ｆ断面図である。
【図７（ａ）】本発明の第３実施例に係るスクリーン装置において、蓋部１３ａを第１枠部材１０から取り外した状態を示す正面図である。
【図７（ｂ）】図７（ａ）におけるＧ−Ｇ断面図であって、蓋部１３ａを第１枠部材１０に装着した状態を示している。
【図８（ａ）】本発明の第４実施例に係るスクリーン装置において、蓋部１３ａを第１枠部材１０から取り外した状態を示す正面図である。
【図８（ｂ）】図８（ａ）におけるＨ−Ｈ断面図であって、蓋部１３ａを第１枠部材１０に装着した状態を示している。
【図９（ａ）】本発明の第５実施例に係るスクリーン装置を建物の開口１に装着し、蓋部１３ａを第１枠部材１０から取り外した状態を示す部分破断正面図である。
【図９（ｂ）】図９（ａ）におけるＩ−Ｉ断面図である。
【図９（ｃ）】図９（ａ）におけるスクリーン装置の平面図である。
【図９（ｄ）】図９（ａ）におけるＪ−Ｊ断面図であって、蓋部１３ａを第１枠部材１０に装着した状態を示している。
【符号の説明】
【００３９】
１            建物の開口
２，３        縦枠
４，５        上下枠
５ａ          ガイドレール
１０          第１枠部材
１１          第１枠部材の内部
１２ａ        第１入出口
１２ｂ        第２入出口
１３，１４，１５，１６          側壁
１３ａ        蓋部
１３ｂ        開口部
１６ｂ        スライドレール
１７ａ        第１折返し部
１７ｂ        第２折返し部
１８          ガイドプレート
１８ａ        取付溝（取付部）
２０          第２枠部材
２１          巻取り軸
３０          スクリーン
３１          係合片
４０ａ，４０ｂ        スライド枠
４１          ガイド部
４２          ガイド駒
４２ａ        係合溝
４２ｂ        係合凹部
４２ｅ        ガイド凹部
４３          端部駒
４５          連結ワイヤー
５０ａ        第１ワイヤー片
５０ｂ        第２ワイヤー片
１８ｂ，４６，５３      ネジ（固定部材）
【図１（ａ）】
2005282263.tif 000003
【図１（ｂ）】
2005282263.tif 000004
【図２（ａ）】
2005282263.tif 000005
【図２（ｂ）】
2005282263.tif 000006
【図３（ａ）】
2005282263.tif 000007
【図３（ｂ）】
2005282263.tif 000008
【図３（ｃ）】
2005282263.tif 000009
【図４】
2005282263.tif 000010
【図５（ａ）】
2005282263.tif 000011
【図５（ｂ）】
2005282263.tif 000012
【図６（ａ）】
2005282263.tif 000013
【図６（ｂ）】
2005282263.tif 000014
【図７（ａ）】
2005282263.tif 000015
【図７（ｂ）】
2005282263.tif 000016
【図８（ａ）】
2005282263.tif 000017
【図８（ｂ）】
2005282263.tif 000018
【図９（ａ）】
2005282263.tif 000019
【図９（ｂ）】
2005282263.tif 000020
【図９（ｃ）】
2005282263.tif 000021
【図９（ｄ）】
2005282263.tif 000022